(57)【要約】      （修正有）【課題】特殊な資材や縫製により僧帽筋、肩甲拳筋、菱形筋などを支え、激しい運動や長時間の使用によって当初の着用位置からずれにくく、使用時のシルエットを美しく見せることができるブラジャーを提供する。【解決手段】ブラジャーは、使用者の胸部を覆う前身頃１と、前身頃の右上方端部から延設される右肩ベルト２を介して使用者の右背部から左背部まで傾斜して覆設する第１後身頃と、前身頃の左上方端部から延設される左肩ベルト４を介して使用者の左背部から右背部まで傾斜して覆設する第２後身頃と、前身頃、第１後身頃及び第２後身頃の下端部に位置し使用者の胸部及び背部を周回して覆う帯状の締着部６と、第１後身頃の使用者側に配設され第１後身頃より摩擦係数の大きい第１摩擦部７と、第２後身頃の使用者側に配設され第２後身頃より摩擦係数の大きい第２摩擦部８を備える。【選択図】図１
0003226122.tif 000002
【実用新案登録請求の範囲】
【請求項１】
使用者の胸部を覆う前身頃（１）と、
前記前身頃（１）の右上方端部から延設される右肩ベルト（２）を介して使用者の右背部から左背部まで傾斜して覆設する第１後身頃（３）と、
前記前身頃（１）の左上方端部から延設される左肩ベルト（４）を介して使用者の左背部から右背部まで傾斜して覆設する第２後身頃（５）と、
前記前身頃（１）、前記第１後身頃（３）及び前記第２後身頃（５）の下端部に位置し使用者の胸部及び背部を周回して覆う帯状の締着部（６）と、
前記第１後身頃（３）の使用者側に配設され前記第１後身頃（３）より摩擦係数の大きい第１摩擦部（７）と、
前記第２後身頃（５）の使用者側に配設され前記第２後身頃（５）より摩擦係数の大きい第２摩擦部（８）を備えることを特徴とするブラジャー。
【請求項２】
前記第１摩擦部（７）及び前記第２摩擦部（８）が、少なくとも外表面においてゴム状性を有する樹脂を有することを特徴とする請求項１に記載のブラジャー。
【請求項３】
前記第１摩擦部（７）及び前記第２摩擦部（８）は、よこ方向において、最大荷重が１８０〜２８０Ｎであり、最大伸び率が１８０〜２６０％であることを特徴とする請求項１又は請求項２に記載のブラジャー。
【請求項４】
前記前身頃（１）が袋状であり、ブラカップを挿入可能に側方に開口部（１１）を備えることを特徴とする請求項１から請求項３のいずれかに記載のブラジャー。
【考案の詳細な説明】
【技術分野】
【０００１】
本考案は、着用性を損なわずに使用者の動きにフィットしてずれることを抑制し使用時のシルエットを美しく見せるブラジャーに関するものである。
【背景技術】
【０００２】
女性がスポーツや仕事中など日常生活において種々の動作をするときに、適度な締め付けで胸部を保持し、動作の妨げにならないようなブラジャーが種々知られている。
【０００３】
例えば、特許文献１には、着用者の胸部を被覆する胸被覆部と、該胸被覆部から背中側に連続して着用者の胸部横および脇下を被覆する一対の脇部と、該脇部より背後に連続して着用者の背中を被覆するバック部と、該脇部より背後に連続して着用者の背中中心部を被覆する後身頃と、着用者の肩に配置される一対の肩紐とを備えたスポーツ用ハーフトップであって、前記後身頃は略逆Ｙ字状に形成され、その両端部がバック部の一部と重なり合っており、さらに、後身頃の下辺部とバック部の中央上辺部の間には着用者の肌を露出せしめる開口部を形成したハーフトップ型のブラジャーが開示されている。
【先行技術文献】
【特許文献】
【０００４】
【特許文献１】実用新案登録第３１７１８０４号公報
【考案の概要】
【考案が解決しようとする課題】
【０００５】
しかしながら、特許文献１に記載のブラジャーにおいて、胸被覆部、バック部、後身頃が同様の種類の生地からなることから激しい運動や長時間の使用によって当初の着用位置からずれてくるものであるし、また、使用時において、脇部やバック部で締め付けられて僧帽筋や広背筋近傍の脂肪がはみ出てしまい使用時のシルエットを美しくないという課題があった。
【０００６】
本考案は上記課題に鑑みてなされたものであり、特殊な資材や縫製により僧帽筋、肩甲拳筋、菱形筋などの筋肉を支え、激しい運動や長時間の使用によって当初の着用位置からずれにくく、使用時のシルエットを美しく見せることができるブラジャーを提供することを目的とする。
【課題を解決するための手段】
【０００７】
〔１〕すなわち、本考案は、使用者の胸部を覆う前身頃（１）と、前記前身頃（１）の右上方端部から延設される右肩ベルト（２）を介して使用者の右背部から左背部まで傾斜して覆設する第１後身頃（３）と、前記前身頃（１）の左上方端部から延設される左肩ベルト（４）を介して使用者の左背部から右背部まで傾斜して覆設する第２後身頃（５）と、前記前身頃（１）、前記第１後身頃（３）及び前記第２後身頃（５）の下端部に位置し使用者の胸部及び背部を周回して覆う帯状の締着部（６）と、前記第１後身頃（３）の使用者側に配設され前記第１後身頃（３）より摩擦係数の大きい第１摩擦部（７）と、前記第２後身頃（５）の使用者側に配設され前記第２後身頃（５）より摩擦係数の大きい第２摩擦部（８）を備えることを特徴とするブラジャーである。
【０００８】
〔２〕そして、前記第１摩擦部（７）及び前記第２摩擦部（８）が、少なくとも外表面においてゴム状性を有する樹脂を有することを特徴とする前記〔１〕に記載のブラジャーである。
【０００９】
〔３〕そして、前記第１摩擦部（７）及び前記第２摩擦部（８）は、よこ方向において、最大荷重が１８０〜２８０Ｎであり、最大伸び率が１８０〜２６０％であることを特徴とする前記〔１〕又は前記〔２〕記載のブラジャーである。
【００１０】
〔４〕そして、前記前身頃（１）が袋状であり、ブラカップを挿入可能に側方に開口部（１１）を備えることを特徴とする前記〔１〕から前記〔３〕のいずれかに記載のブラジャーである。
【考案の効果】
【００１１】
本考案のブラジャーによれば、激しい運動や長時間の使用によって当初の着用位置からずれにくく、使用時のシルエットを美しく見せることができる。
【図面の簡単な説明】
【００１２】
【図１】本考案のブラジャーの一実施形態における正面図である。
【図２】本考案のブラジャーの一実施形態における背面図である。
【図３】本考案のブラジャーの一実施形態における裏返しにした状態の正面図である。
【図４】本考案のブラジャーの一実施形態における裏返しにした状態の背面図である。
【考案を実施するための形態】
【００１３】
以下、本考案のブラジャーに係る実施形態について図面に基づいて詳しく説明する。明細書中における上下左右の方向は、ブラジャーを着用した使用者からの視点に基づいている。また、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。なお、数値範囲を表す表現については、上限と下限を含むものである。
【００１４】
図１から図４を参照して、本考案のブラジャーに係る実施形態について説明する。図１は、本考案のブラジャーの一実施形態における正面図である。図２は、本考案のブラジャーの一実施形態における背面図である。図３は、本考案のブラジャーの一実施形態における裏返しにした状態の正面図である。図４は、本考案のブラジャーの一実施形態における裏返しにした状態の背面図である。
【００１５】
図１から図４に示すように、本考案のブラジャーは、前身頃１、第１後身頃３、第２後身頃５、締着部６、第１後身頃３の使用者側に配設された第１摩擦部７、第２後身頃５の使用者側に配設された第２摩擦部８などから構成されている。
【００１６】
前身頃１は、使用者の胸部を覆う部材である。そして、前身頃１は、右上方端部において右肩ベルト２と、左上方端部において左肩ベルト４と縫製などにより接続されている。また、前身頃１は、下端部において締着部６と縫製などにより接続されている。さらに、前身頃１は、左端部において、第１後身頃３の端部と、右端部において、第２後身頃５の端部と縫製などにより接続されている。なお、本実施形態において、前身頃１は、曲線も含む変則的な略六角形状を有しているが、他の実施形態において、他の形状とすることもできる。
【００１７】
前身頃１は、内部にブラカップを収容可能な空間を有する袋状になっており、左右の側方の端部側には、開口部１１が設けられている。この開口部１１からブラカップＣを挿入して前身頃１の内部に収容して、使用することができる。なお、本実施形態において、開口部１１は、前身頃１の左右側方の端部側の両方に設けられているが、他の実施形態において、左右側方の端部側の一方に設けられていてもよい。
【００１８】
右肩ベルト２は、前身頃１の右上方端部から延設される帯状の部材であり、使用者の右肩に当接する。右肩ベルト２は、本実施形態において、前身頃１及び第１後身頃３と別部材として、前身頃１及び第１後身頃３と接続されているが、他の実施形態において、前身頃１又は第１後身頃３の少なくとも一方と継ぎ目なく一体的に形成されていてもよい。
【００１９】
第１後身頃３は、右肩ベルト２を介して使用者の右背部から左背部まで所定の角度で傾斜して覆設する部材である。第１後身頃３は、右肩ベルト２の端部から締着部６及び前身頃１の左端まで徐々に幅が広がる形状を有し、使用者の背部と当接して前身頃１を保持している。第１後身頃３は、後述する第２後身頃５とは縫着などにより接続されておらず、図１から図４に示すように、使用者の背中側において、第２後身頃５と略対称に交差するように配設されている。
【００２０】
左肩ベルト４は、前身頃１の左上方端部から延設される帯状の部材であり、使用者の左肩に当接する。左肩ベルト４は、本実施形態において、前身頃１及び第２後身頃５と別部材として、前身頃１及び第２後身頃５と接続されているが、他の実施形態において、前身頃１又は第２後身頃５の少なくとも一方と継ぎ目なく一体的に形成されていてもよい。
【００２１】
第２後身頃５は、左肩ベルト４を介して使用者の左背部から右背部まで所定の角度で傾斜して覆設する部材である。第２後身頃５は、左肩ベルト４の端部から締着部６及び前身頃１の右端まで徐々に幅が広がる形状を有し、使用者の背部と当接して前身頃１を保持している。第２後身頃５は、第１後身頃３とは縫着などにより接続されておらず、図１から図４に示すように、使用者の背中側において、第２後身頃５と略対称に交差するように配設されている。
【００２２】
前身頃１、第１後身頃３、第２後身頃５の材料は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００２３】
締着部６は、前身頃１、第１後身頃３及び第２後身頃５の下端部に位置し使用者の胸部及び背部を周回して覆う帯状の部材である。締着部６は、前身頃１、第１後身頃３及び第２後身頃５よりも緊締力の強いパワーネットやゴムなどを内包しており、使用者の身体によりフィットして、ブラジャーがずれることを抑制し、また、捲り上がらないようにしている。
【００２４】
第１摩擦部７は、第１後身頃３の使用者側、すなわち裏側に配設され第１後身頃３より摩擦係数の大きい部材である。第１摩擦部７により、使用者の皮膚と当接して僧帽筋や広背筋近傍の脂肪が、右背部から左背部へと持ち上げられ、使用者の脇あたりからはみ出ないようにすることができるため、使用時のシルエットを美しく見せることができる。第１摩擦部７は、本実施形態において、第１後身頃３の使用者側のおおよそ全体に配設されているが、他の実施形態において、第１後身頃３の使用者側の５０％以上の範囲に配設するようにすることもできる。本実施形態において、第１摩擦部７については、図１及び図４において薄墨を施している。
【００２５】
第２摩擦部８は、第２後身頃５の使用者側、すなわち裏側に配設され第２後身頃５より摩擦係数の大きい部材である。第２摩擦部８により、使用者の皮膚と当接して僧帽筋や広背筋近傍の脂肪が、左背部から右背部へと持ち上げられ、使用者の脇あたりからはみ出ないようにすることができるため、使用時のシルエットを美しく見せることができる。第２摩擦部８は、本実施形態において、第２後身頃５の使用者側のおおよそ全体に配設されているが、他の実施形態において、第２後身頃５の使用者側の５０％以上の範囲に配設するようにすることもできる。本実施形態において、第２摩擦部８については、図１及び図４において薄墨を施している。
【００２６】
第１摩擦部７及び第２摩擦部８は、少なくとも外表面においてゴム状弾性を有する樹脂を有していることが好ましい。第１摩擦部７及び第２摩擦部８をこのように設けると、使用者の皮膚とより密着して僧帽筋、肩甲拳筋、菱形筋や広背筋などの筋肉及びそれらの近傍の脂肪が、全体として上方へと持ち上げられて支えられ、当初の着用位置からずれにくく、使用時のシルエットを美しく見せることができる。なお、第１摩擦部７及び第２摩擦部８は、少なくとも外表面においてゴム状弾性を有する樹脂を有していれば、ゴム状弾性を有する樹脂が被覆された種々の素材の繊維によって帯状に編まれていても良く、また、ゴム状弾性を有する樹脂そのものを繊維として帯状に編まれていても良い。
【００２７】
第１摩擦部７及び第２摩擦部８は、よこ方向において、最大荷重が１８０〜２８０Ｎであることが好ましく、２００〜２５０Ｎであることがさらに好ましく、最大伸び率が１８０〜２６０％であることが好ましく、２００〜２４０％であることがさらに好ましい。そして、第１摩擦部７及び第２摩擦部８は、たて方向において、最大荷重が１００〜１８０Ｎであることが好ましく、１２０〜１６０Ｎであることがさらに好ましく、最大伸び率が２５０〜３３０％であることが好ましく、２７０〜３１０％であることがさらに好ましい。第１摩擦部７及び第２摩擦部８をこのように設けると、上述したように当初の着用位置からずれにくく、使用時のシルエットを美しく見せることができる。本実施形態において、第１摩擦部７及び第２摩擦部８は、よこ方向における最大荷重が２３６Ｎ（標準偏差１１．８）であり、最大伸び率が２２２％（標準偏差８．３）であり、たて方向における最大荷重が１３９Ｎ（標準偏差７．４）であり、最大伸び率が２８９％（標準偏差４．１）であった。なお、これらの数値の測定については、ＪＩＳ  Ｌ１０９６に準じて、幅３ｃｍで長さ１０ｃｍの試料を用い、オートグラフ（島津製作所製、ＡＧＳ−Ｊ  ５ｋＮ）にてチャック間距離を５０ｍｍとし毎分３ｃｍの引張速度で測定した。
【符号の説明】
【００２８】
１・・・前身頃
１１・・・開口部
２・・・右肩ベルト
３・・・第１後身頃
４・・・左肩ベルト
５・・・第２後身頃
６・・・締着部
７・・・第１摩擦部
８・・・第２摩擦部
Ｃ・・・ブラカップ
【図１】
0003226122.tif 000003
【図２】
0003226122.tif 000004
【図３】
0003226122.tif 000005
【図４】
0003226122.tif 000006